(57)【要約】【課題】絞り兼用シャッターを有するカメラにおいて、被写界深度の深い写真をカメラぶれを生じることなく撮影するカメラの提供。【解決手段】絞り兼用シャッター羽根と、カメラのぶれを補正するぶれ補正手段を有するカメラにおいて、シャッターの駆動回数を設定し（ステップ１０４）、カメラぶれを補正するＩＳ動作をスタートさせ（１０５）、レリーズスイッチＳＷ２がオンすると（１０６）、シャッターを所定回数連続して２回以上駆動し（１０８、１０９）、ＩＳ動作を停止する（１１０）。【選択図】　　図３
2004094061.tif 000002
【特許請求の範囲】
【請求項１】
絞り兼用シャッター羽根と、カメラのぶれを補正するぶれ補正手段を有するカメラにおいて、
１回の撮影動作で少なくとも連続して２回以上シャッターを駆動させる駆動制御手段と、前記シャッター駆動の第１回目のシャッター開動作以前から最終駆動のシャッター閉じ動作以降までぶれ補正手段を駆動させ続けるぶれ補正制御手段を有することを特徴とするカメラ。
【請求項２】
前記駆動制御手段と前記ぶれ補正制御手段は、所定モードが選択された際にのみ制御動作を行うことを特徴とする請求項１に記載のカメラ。
【請求項３】
前記駆動制御手段は、適正露出をシャッターの１駆動当たりの露光量に駆動回数を掛けたものとしたことを特徴とする請求項１又は２に記載のカメラ。
【請求項４】
シャッターの１駆動当たりの露光量を最小限にする制御を行うシャッター制御手段を有することを特徴とする請求項１又は２に記載のカメラ。
【請求項５】
指定された被写界深度を得る為の絞り値からシャッターの１駆動あたりの露光量決定する手段を有することを特徴とする請求項１又は２に記載のカメラ。
【請求項６】
カメラのぶれ量が所定量以上の時、シャッター駆動を停止する制御を行う手段を有することを特徴とする請求項１から５のいずれかに記載のカメラ。
【請求項７】
カメラのぶれ量が所定量以上の時、残りの露光量を１回で行う制御をする手段を有することを特徴とする請求項１から５のいずれかに記載のカメラ。
【請求項８】
手前の被写体から奥側の被写体までの距離が所定距離以上の時、制御をする手段を有することを特徴とする請求項１から７のいずれかに記載のカメラ。
【発明の詳細な説明】
【０００１】
【発明の属する技術分野】
本発明は、絞り兼用シャッター羽根を有するカメラに係り、被写界深度の深い写真を撮影するカメラに関するものである。
【０００２】
【従来の技術】
従来、多重露光可能なカメラは、特開平１０−１７４８８５号公報の多重露出撮影可能なカメラに記載されているように、１回のレリーズ動作で、遠距離、近距離の被写体各々に対し、測距／測光を行い、主被写体と背景にピントと露出が適正になることが開示されている。
【０００３】
また、特開昭５５−１０８６３８号公報の多重露光装置を備えたカメラに記載されているように、多重露光モードが設定された場合、１回の露光量について、適正露光量を多重露光回数分で割った値とした露光制御を行うことで、露出が適正な写真が得られることが開示されている。
【０００４】
【発明が解決しようとする課題】
しかしながら、上記した特開平１０−１７４８８５号公報に記載の多重露光においては、遠距離（後ろ）の被写体と近側（前側）の被写体にピントと露出を合わせることを目的とするものであって、主被写体の深度を深くすることを目的とするものではない。例えば、花を撮影する際に手前の花びらと背景にピントが合って、めしべにはピントが合わないということが発生する。
【０００５】
また、特開昭５５−１０８６３８号公報に記載の多重露光においては、写真の露出を適正にするものであり、複数回のシャッター駆動により、長秒時撮影を行った時と同等の手ぶれ写真が発生することが考慮されていない。
【０００６】
本出願に係る発明は、カメラぶれの影響がなく、被写界深度の深い写真を撮影できるカメラを提供しようとするものである。
【０００７】
具体的には、上記した従来例の欠点を除去し、被写体の深度を深くするため、１回の撮影動作に応じて複数回シャッターを駆動し、また、そのために発生する手ぶれを第１回目のシャッター開駆動動作から最終のシャッター閉じ動作までぶれ補正手段を稼動し続けることで深度が深くぶれの無い写真を得ることができるカメラを提供することを目的とするものである。
【０００８】
【課題を解決するための手段】
前述の目的を達成する為に、本発明は、ぶれ補正手段を制御し、ぶれ補正が行われている間にシャッターを複数回駆動するものである。
【０００９】
請求項１に記載の発明は、絞り兼用シャッター羽根と、カメラのぶれを補正するぶれ補正手段を有するカメラにおいて、１回の撮影動作で少なくとも連続して２回以上シャッターを駆動させる駆動制御手段と、前記シャッター駆動の第１回目のシャッター開動作以前から最終駆動のシャッター閉じ動作以降までぶれ補正手段を駆動させ続けるぶれ補正制御手段を有することを特徴とする。
【００１０】
本発明によれば、シャッターを複数回駆動することで深度が深い写真が得られ、また、ぶれ補正手段を駆動することでぶれの無い写真が得られる。
【００１１】
請求項２に記載の発明は、請求項１において、前記駆動制御手段と前記ぶれ補正制御手段は、所定モードが選択された際にのみ制御動作を行うことを特徴とする。
【００１２】
請求項２に記載の発明によれば、所定モードを設けることで、撮影者が自分の意志によって従来の撮影と本発明を使用することが可能となる。
【００１３】
請求項３に記載の発明は、請求項１又は２において、前記駆動制御手段は、適正露出をシャッターの１駆動当たりの露光量に駆動回数を掛けたものとしたことを特徴とする。
【００１４】
請求項３に記載の発明によれば、適正露出の写真が得られる。
【００１５】
請求項４に記載の発明によれば、シャッターの１駆動当たりの露光量を最小限にする制御を行う手段を有することで、更に深度の深い写真が得ることが可能になる。
【００１６】
請求項５に記載の発明は、請求項１又は２において、指定された被写界深度を得る為の絞り値からシャッターの１駆動あたりの露光量決定する手段を有することを特徴とする。
【００１７】
請求項５に記載の発明によれば、シャッターの１駆動当たりの露光量を指定された被写界深度内に入るよう制御を行う手段を有することで、撮影者が求める深度を得ることが可能になる。
【００１８】
請求項６に記載の発明は、請求項１から５のいずれかで、カメラのぶれ量が所定量以上の時、シャッター駆動を停止する制御を行う手段を有することを特徴とする。
【００１９】
請求項６に記載の発明によれば、カメラのぶれ量が所定量以上の時、シャッター駆動を停止する制御を行う制御手段を有することで、ぶれの無い写真を得ることが可能になる。
【００２０】
請求項７に記載の発明によれば、請求項１から５のいずれかにおいて、カメラのぶれ量が所定量以上の時、残りの露光量を１回で行う制御をする手段を有することを特徴とする。
【００２１】
請求項７に記載の発明によれば、カメラのぶれ量が所定量以上の時、残りの露光量を１回で行う制御をする手段を有することで、ぶれが無く請求項６に係る発明に対しては適正露出を得ることが可能となる。
【００２２】
請求項８に記載の発明によれば、請求項１から５のいずれかにおいて、手前の被写体から奥側の被写体までの距離が所定距離以上の時、制御をする手段を有することを特徴とする。
【００２３】
請求項８に記載の発明によれば、手前の被写体から奥側の被写体までの距離が所定距離以上の時、制御をする手段を有することで、被写界深度を深くする必要があるときのみ連続する２回以上のシャッター駆動動作をすることで、適正被写界深度（必要なシーンに対応した被写界深度）の写真を簡単に得ることが可能となる。
【００２４】
【発明の実施の形態】
（第１の実施の形態）
本発明の第１実施の形態を図１、図３を用いて説明する。
【００２５】
図１は本実施の形態のカメラの構成を示す電気回路のブロック図、第２図はカメラの外観図である。
【００２６】
同図において、１はカメラの各部の動きを制御する為のマイクロコンピュータ（以下「マイコン」と言う）である。２はズームモータ制御回路で、該マイコン１からの制御信号に従ってズーミング動作（テレ→ワイド、ワイド→テレ駆動及び停止）を行う。また同時にズームの情報をマイコンに送る。３は赤目緩和ランプ駆動回路で、マイコン１から送られてくる信号により不図示の赤目緩和ランプを点灯させたり、消灯させたりする。４はスイッチセンス回路で、撮影者が各撮影条件を設定する為のスイッチやカメラの状態を示すスイッチの状態を読み取りマイコン１に送る。
【００２７】
５はレンズ制御回路で、不図示の撮影レンズの焦点調節用モータを駆動制御し、該マイコン１と通信を行う。６はストロボ制御回路で、ストロボの発光と調光による発光停止機能を制御する回路であり、マイコン１と通信を行いストロボ発光制御に関するデータを受け取り各種制御を行う。
【００２８】
７は測光回路で、被写体の測光を行い、マイコン１の制御により測光出力をマイコン１に送る。そして、マイコン１は送られた測光出力をＡ／Ｄ変換し、露出条件（絞り、シャッター速度）の演算に用いる。
【００２９】
８はＡＦ回路で、被写体の測距を行い、マイコン１の制御により測距出力をマイコン１に送る。そして、マイコン１は送られた測距出力をＡ／Ｄ変換し、既存のアルゴリズムで測距を行い、レンズ駆動量を演算した後に合焦するようにレンズ制御回路５に演算で求めたレンズ駆動量を通信し、レンズを駆動し合焦させる。
【００３０】
９は、シャッター制御回路で、マイコン１の制御信号に従って不図示のシャッターの制御を行う。
【００３１】
１０はタイマーで、１秒ごとにデータを１づつ増加させ、現時点の日付・時刻をマイコン１に伝達する。１１は給送モータ制御回路で、マイコン１からの信号に従ってフィルムの給送（巻き上げ、巻き戻し）を行う。１２はレリーズ釦で、後記する第１スイッチＳＷ１と、第２スイッチＳＷ２により構成されている。
【００３２】
１３はカメラ振れ検出回路であり、カメラのブレ動作を検出する。
【００３３】
１４はレンズ制御回路であり、カメラ振れ検出回路１３からの情報と後述するレンズ位置検出手段１６の情報により後述するレンズ１５の位置を制御する。
【００３４】
１５は撮影レンズである。１６はカメラ振れ検出回路１３の情報により、レンズ制御回路１４により駆動されたレンズ１５の位置を検出するレンズ位置検出回路である。
【００３５】
ＳＷ１は、カメラの動作を開始させる第１スイッチで、レリーズ釦１２の第１ストロークでオンし、オンされたことをマイコン１が認識すると、測光・測距をスタートさせる。ＳＷ２はカメラのレリーズ釦１２の第２ストロークでオンする第２スイッチで、オンされたことをマイコン１が認識すると、露光動作をスタートさせる。
【００３６】
ＳＷ３は、夜景モード、オートモード、スポーツモード、マクロモード、ポートレートモード、風景モード、被写界深度モードを変更する為の第３スイッチである。ＳＷ４、ＳＷ５は、被写界深度を入力するためのスイッチであり、ＳＷ４が押されるたびに被写界深度が０．１ｍ、０．２ｍ…と増加し、ＳＷ５を押すごとに１．０ｍ、０．９ｍ…と距離が減少する。
【００３７】
以上の構成の本実施の形態の動作を図３のフロチャートを用いて説明する。
【００３８】
先ず、ステップ１０１ではカメラの第１スイッチＳＷ１が押されたかどうかを判断し、第１スイッチＳＷ１が押された場合にはステップ１０２に進む。
【００３９】
ステップ１０２では、ＡＦ回路８により被写体の測距を行い、測距情報をマイコン１に送る。
【００４０】
ステップ１０３では、測光回路７により被写体の測光を行い、測光情報をマイコン１に送る。
【００４１】
ステップ１０４では、測光の結果に基づき「適正露光＝シャッター１駆動当たりの露光量×駆動回数」の関係から駆動回数を設定する。シャッター１駆動当たりの露光量は、被写界深度をなるべく稼げるようにする。
【００４２】
ステップ１０５では、カメラ振れ検出回路１３とレンズ制御回路４を駆動し、ＩＳ動作をスタートさせる。ＩＳ動作とは具体的に述べると、カメラ振れ検出回路４で検出した結果をマイコン１に送り、マイコン１は、前記情報に基づいた補正量をレンズ制御回路１４に送り、レンズ制御回路１４は、前記補正量に基づきレンズ１５を駆動しカメラ振れを補正することである。
【００４３】
ステップ１０６で第２スイッチＳＷ２が押されたかどうかを判断し、押されたことを検出すれば、ステップ１０７に進む。
【００４４】
ステップ１０７では、レンズ１５をレンズ制御回路５がステップ１０２でのＡＦ回路８の測距情報に基づき駆動する。
【００４５】
ステップ１０８では、シャッター駆動回路９がシャッターの開閉を行う。
【００４６】
ステップ１０９では、ステップ１０４で設定したシャッター駆動回数に到達したか否かを判断し、到達していなければ再度ステップ１０８に進み、到達していればステップ１１０に進む。
【００４７】
ステップ１１０では、カメラ振れ検出回路１３とレンズ制御回路１４の駆動を停止する。
【００４８】
ステップ１１１では、フィルムを１駒送り撮影動作を終了する。
【００４９】
以上説明したように、本実施の形態によれば、絞り兼用シャッター羽根を有したカメラにおいても、深度が深く、且つブレのない撮影が行うことが可能となる。
【００５０】
また、ステップ１０４のシャッター駆動回数設定において、「適正露光＝シャッター１駆動当たりの露光量×駆動回数」としているが、画像処理等で補正可能な範囲であれば、別段適正露光量でなくても良い。
【００５１】
また、本実施の形態では、ステップ１１１で給送と書いてあるが、これが給送手段を持たぬデジタルカメラのようなものであれば、記録媒体への記録または、情報の転送であっても良い。
【００５２】
（第２の実施の形態）
本発明の第２実施の形態を図４のフロチャートを用いて説明する。
【００５３】
ステップ２０１で第３スイッチＳＷ３により被写界深度モードがセットされた状態になるとステップ２０２に進む。
【００５４】
ステップ２０２で、カメラの第１スイッチＳＷ１が押されたかどうかを判断し、第１スイッチＳＷ１が押された場合ステップ２０３に進む。
【００５５】
ステップ２０３では、ＡＦ回路８により被写体１の測距を行い、測距情報をマイコン１に送る。
【００５６】
ステップ２０４では、前記測距情報をマイコン１内のメモリーに保管する。
【００５７】
ステップ２０５で、カメラの第１スイッチＳＷ１が押されたかどうかを判断し、第１スイッチＳＷ１が押された場合ステップ２０６に進む。
【００５８】
ステップ２０６では、ＡＦ回路８により被写体２の測距を行い、測距情報をマイコン１に送る。
【００５９】
ステップ２０７では、前記測距情報をマイコン１内のメモリーに保管する。
【００６０】
ステップ２０８では、測光回路７により被写体の測光を行い、測光情報をマイコン１に送る。
【００６１】
ステップ２０９では、マイコン１内のメモリーに保管されている前記測距情報から主被写体１と主被写体２にピントが合うような被写界深度を計算しシャッターの開放量を決定する。次に前記測光の結果に基づき「適正露光＝シャッター１駆動当たりの露光量×駆動回数」の関係から駆動回数を設定する。
【００６２】
ステップ２１０では、カメラ振れ検出回路１３とレンズ制御回路４を駆動し、ＩＳ動作をスタートさせる。ＩＳ動作とは具体的に述べると、カメラ振れ検出回路４で検出した結果をマイコン１に送り、マイコン１は、前記情報に基づいた補正量をレンズ制御回路１４に送り、レンズ制御回路１４は、前記補正量に基づきレンズ１５を駆動しカメラ振れを補正することである。
【００６３】
ステップ２１１でＳＷ２が押されたかどうかを判断し押されたことを検出すれば、ステップ２１２に進む。
【００６４】
ステップ２１２では、レンズ１５をレンズ制御回路５がステップ２０６でのＡＦ回路８の測距情報に基づき駆動する。
【００６５】
ステップ２１３では、シャッター駆動回路９がシャッターの開閉を行う。
【００６６】
ステップ２１４ではステップ２０９で設定したシャッター駆動回数に到達したか否かを判断し、到達していなければ再度ステップ２１３に進み、到達していればステップ２１５に進む。
【００６７】
ステップ２１５では、カメラ振れ検出回路１３とレンズ制御回路１４の駆動を停止する。
【００６８】
ステップ２１６では、フィルムを１駒送り撮影動作を終了する。
【００６９】
以上説明したように、本実施の形態によれば、第１の実施の形態に対して、撮影者の意図した範囲内にがピントを合わすことが可能となる。
【００７０】
また、ステップ２０９のシャッター駆動回数設定において、「適正露光＝シャッター１駆動当たりの露光量×駆動回数」と記してあるが、画像処理等で補正可能な範囲であれば、別段適正露光量でなくても良い。
【００７１】
また、本実施の形態では、ステップ２１６で給送と書いてあるが、これが給送手段を持たぬデジタルカメラのようなものであれば、記録媒体への記録または、情報の転送であっても良い。
【００７２】
また、被写界深度範囲の設定方法としてスイッチＳＷ４、スイッチＳＷ５を使ってダイレクトに被写界範囲を設定しても良い。
【００７３】
（第３の実施の形態）
本発明の第３実施の形態を図５のフロチャートを用いて説明する。
【００７４】
まず、ステップ３０１ではカメラの第１スイッチＳＷ１が押されたかどうかを判断し、第１スイッチＳＷ１が押された場合にはステップ３０２に進む。
【００７５】
ステップ３０２では、ＡＦ回路８により被写体１、２の測距を行い、これらの測距情報をマイコン１に送る。
【００７６】
ステップ３０３では、測光回路７により被写体を測光し、測光情報をマイコン１に送る。
【００７７】
ステップ３０４では、前記測距情報から主被写体１と主被写体２にピントが合うような被写界深度を計算しシャッターの開放量を決定する。次に前記測光の結果に基づき「適正露光＝シャッター１駆動当たりの露光量×駆動回数」の関係から駆動回数を設定する。
【００７８】
ステップ３０５では、シャッター駆動回数の判別を行う。前記設定した駆動回数が複数回であれば、ステップ３０９に進み、前記駆動回数が１回であれば、ステップ３０６に進む。
【００７９】
ステップ３０６では、第２スイッチＳＷ２が押されたか否かを判断し、押されたと判断した時にステップ３０７に進む。
【００８０】
ステップ３０７では、レンズ１５をレンズ制御回路５がステップ３０２でのＡＦ回路８の測距情報に基づき駆動する。
【００８１】
ステップ３０８では、ステップ３０４で設定した露光量に基づきシャッター駆動回路９がシャッター開閉を行う。
【００８２】
ステップ３０９では、フィルムを１駒送り、撮影動作を終了する。
【００８３】
次に、ステップ３０５からステップ３１０へ進んだときを説明する。
【００８４】
ステップ３１０では、カメラ振れ検出回路１３とレンズ制御回路４を駆動し、ＩＳ動作をスタートさせる。ＩＳ動作とは具体的に述べると、カメラ振れ検出回路４で検出した結果をマイコン１に送り、マイコンは、前記情報に基づいた補正量をレンズ制御回路１４に送り、レンズ制御回路１４は、前記補正量に基づきレンズ１５を駆動しカメラ振れを補正することである。
【００８５】
ステップ３１１で第２スイッチＳＷ２が押されたかどうかを判断し、押されたことを検出すれば、ステップ３１２に進む。
【００８６】
ステップ３１２では、レンズ１５をレンズ制御回路５がステップ３０２でのＡＦ回路８の測距情報に基づき駆動する。
【００８７】
ステップ３１３では、シャッター駆動回路９がシャッターの開閉を行う。
【００８８】
ステップ３１４ではブレ量が、ブレ補正量調整手段の補正可能範囲内であればステップ３１５に進み、補正不可能なブレ量の場合は、３０４で設定したシャッター駆動回数に達していなくてもステップ３１６に進み、露光を中止する。
【００８９】
ステップ３１５では、ステップ３０４で設定したシャッター駆動回数に到達したか否かを判断し、到達していなければ再度ステップ３１３に進み、到達していればステップ３１６に進む。
【００９０】
ステップ３１６では、カメラ振れ検出回路１３とレンズ制御回路１４の駆動を停止し、ステップ３０９へ進む。
【００９１】
ステップ３０９では、フィルムを１駒送り、撮影動作を終了する。
【００９２】
以上説明したように、本実施の形態によれば、上記した第１、第２の実施の形態に対し、ぶれの無い写真を得ることが可能になる。
【００９３】
また、ステップ３０４のシャッター駆動回数設定において、「適正露光＝シャッター１駆動当たりの露光量×駆動回数」としているが、画像処理等で補正可能な範囲であれば、別段適正露光量でなくても良い。また、本実施の形態では、ステップ３０９で給送と書いてあるが、これが給送手段を持たぬデジタルカメラのようなものであれば、記録媒体への記録または、情報の転送であっても良い。
【００９４】
（第４の実施の形態）
本実施の形態は、第３の実施の形態の変形であり、図６のフロチャートを用いて説明する。
【００９５】
まず、ステップ３０１ではカメラの第１スイッチＳＷ１が押されたかどうかを判断し、第１スイッチＳＷ１が押された場合ステップ３０２に進む。
【００９６】
ステップ３０２では、ＡＦ回路８により被写体の測距を行う。この時、測距は複数点行い、測距情報をマイコン１に送る。
【００９７】
ステップ３０３では、測光回路７により被写体を測光し測光情報をマイコン１に送る。
【００９８】
ステップ３０４では、前記測距結果に基づき前記測距情報から主被写体１と主被写体２にピントが合うような被写界深度を計算しシャッターの開放量を決定する。次に前記測光の結果に基づき「適正露光＝シャッター１駆動当たりの露光量×駆動回数」の関係から駆動回数を設定する。
【００９９】
ステップ３０５では、シャッター駆動回数の判別を行う。前記設定した駆動回数が複数回であれば、ステップ３０９に進み、前記駆動回数が１回であれば、ステップ３０６に進む。
【０１００】
ステップ３０６では、第２スイッチＳＷ２が押されたか否かを判断し、押されたと判断した時にステップ３０７に進む。
【０１０１】
ステップ３０７では、レンズ１５をレンズ制御回路５がステップ３０２でのＡＦ回路８の測距情報に基づき駆動する。
【０１０２】
ステップ３０８では、ステップ３０４で設定した露光量に基づきシャッター駆動回路９がシャッター開閉を行う。
【０１０３】
ステップ３０９では、フィルムを１駒送り、撮影動作を終了する。
【０１０４】
次に、ステップ３０５からステップ３１０へ進んだときを説明する。
【０１０５】
ステップ３１０では、カメラ振れ検出回路１３とレンズ制御回路４を駆動し、ＩＳ動作をスタートさせる。ＩＳ動作とは具体的に述べると、カメラ振れ検出回路４で検出した結果をマイコン１に送り、マイコン１は、前記情報に基づいた補正量をレンズ制御回路１４に送り、レンズ制御回路１４は、前記補正量に基づきレンズ１５を駆動しカメラ振れを補正することである。
【０１０６】
ステップ３１１で第２スイッチＳＷ２が押されたかどうかを判断し、押されたことを検出すれば、ステップ３１２に進む。
【０１０７】
ステップ３１２では、レンズ１５をレンズ制御回路５がステップ３０２でのＡＦ回路８の測距情報に基づき駆動する。
【０１０８】
ステップ３１３では、シャッター駆動回路９がシャッターの開閉を行う。
【０１０９】
ステップ３１４では、ブレ量がブレ補正量調整手段の補正可能範囲内であればステップ３１５に進み、補正不可能なブレ量の場合は、ステップ３１７に進む。
【０１１０】
ステップ３１７では、ステップ３０４で設定したシャッター駆動回数に達していない場合、残り分を露光しステップ３１６に進む。
【０１１１】
ステップ３１５では、ステップ３０４で設定したシャッター駆動回数に到達したか否かを判断し、到達していなければ再度ステップ３１３に進み、到達していればステップ３１６に進む。
【０１１２】
ステップ３１６では、カメラ振れ検出回路１３とレンズ制御回路１４の駆動を停止し、ステップ３０９へ進む。
【０１１３】
ステップ３０９では、フィルムを１駒送り、撮影動作を終了する。
【０１１４】
以上説明したように、本実施の形態によれば、第３の実施の形態に対し、より適正露光の写真を得ることが可能になる。
【０１１５】
また、ステップ３０４のシャッター駆動回数設定において、「適正露光＝シャッター１駆動当たりの露光量×駆動回数」と記してあるが、画像処理等で補正可能な範囲であれば、別段適正露光量でなくても良い。また、本実施の形態では、ステップ３０９で給送と書いてあるが、これが給送手段を持たぬデジタルカメラのようなものであれば、記録媒体への記録または、情報の転送であっても良い。
【０１１６】
【発明の効果】
請求項１に係る発明によれば、シャッターを複数回駆動することで震度が深い写真が得られ、またブレ補正手段を駆動することでぶれのない写真が得られる。
【０１１７】
請求項２に係る発明によれば、撮影者が自分の意志によって従来の撮影と本発明を使用することが可能となる。
【０１１８】
請求項３に係る発明によれば、より適正露出の写真が得られる。
【０１１９】
請求項４に係る発明によれば、深度の深い写真が得ることが可能になる。
【０１２０】
請求項５に係る発明によれば、撮影者が求める深度を得ることが可能になる。
【０１２１】
請求項６に係る発明によれば、ぶれの無い写真を得ることが可能になる。
【０１２２】
請求項７に係る発明によれば、ぶれが無く、請求項６に係る発明に対しては適正露出を得ることが可能となる。
【０１２３】
また、請求項８の構成とすることで、測距手段を有し、前記測距手段の結果が所定値以上の際のみ前記制御を行うことで、従来の撮影と本発明が自動で切り替えることが可能になる。
【図面の簡単な説明】
【図１】本発明に係る第１の実施の形態のカメラの構成を示す電気回路のブロック図である。
【図２】第１の実施の形態のカメラの構成図である。
【図３】第１の実施の形態のカメラ動作を説明するフロチャートである。
【図４】第２の実施の形態のカメラ動作を説明するフロチャートである。
【図５】第３の実施の形態のカメラ動作を説明するフロチャートである。
【図６】第４の実施の形態のカメラ動作を説明するフロチャートである。
【符号の説明】
１…マイクロコンピュータ（マイコン）
２…ズームモータ制御回路
３…赤目緩和ランプ駆動回路
４…スイッチセンス回路
５…レンズ制御回路
６…ストロボ制御回路
７…測光回路
８…ＡＦ回路
９…シャッター駆動回路
１０…タイマー
１１…給送モータ制御回路
１２…レリーズ釦
１３…カメラブレ検出回路
１４…レンズ制御回路
１５…撮影レンズ
１６…レンズ位置検出回路
１７…カメラ本体
ＳＷ１、ＳＷ２、ＳＷ３，ＳＷ４，ＳＷ５…スイッチ
【図１】
2004094061.tif 000003
【図２】
2004094061.tif 000004
【図３】
2004094061.tif 000005
【図４】
2004094061.tif 000006
【図５】
2004094061.tif 000007
【図６】
2004094061.tif 000008